(57)【要約】【課題】画像記録位置（Ｑ４）の下方に配置された給紙トレイ（ＴＲ１，ＴＲ２）と、個別給紙路（ＳＨ１ａ）と接続給紙路（ＳＨ１ｂ）とを有する給紙路（ＳＨ１）と、接続給紙路（ＳＨ１ｂ）と兼用される部分を有するシート反転路（ＳＨ４）と、シート反転路（ＳＨ４）と画像記録位置（Ｑ４）とを接続する上流側シート搬送路（ＳＨ２）と、画像記録位置（Ｑ４）と排紙トレイ（ＴＲｈ）とを接続する下流側シート搬送路（ＳＨ３）と、シート反転路（ＳＨ４）と下流側シート搬送路（ＳＨ３）とを接続するシート反転用接続路（ＳＨ５）と、下流側シート搬送路（ＳＨ３）またはシート反転用接続路（ＳＨ５）のいずれかに切り替え可能な搬送方向切替部材（ＧＴ３）と、シート反転路（ＳＨ４）に配置された正逆回転搬送ロール（Ｒｂ）と、シート搬送方向を制御するシート搬送方向制御部材（ＧＴ１，ＧＴ２）。【選択図】        図１
2004284785.tif 000002
【特許請求の範囲】
【請求項１】
下記の構成要件（Ａ０１）〜（Ａ０１０）を備えた画像形成装置、
（Ａ０１）画像記録位置の下方に配置された給紙トレイ、
（Ａ０２）前記給紙トレイの一端側に配置され且つ前記給紙トレイから取り出されたシートを搬送する給紙路であって、前記給紙トレイの一端側の外側にシートを搬送する個別給紙路と、前記個別給紙路の下流端に接続され且つ上下に延びる接続給紙路とを有する前記給紙路、
（Ａ０３）前記接続給紙路と兼用される部分を有するシート反転路、
（Ａ０４）前記シート反転路の上端部と前記画像記録位置との間を接続する上流側シート搬送路、
（Ａ０５）前記画像記録位置と排紙トレイとの間を接続する下流側シート搬送路、
（Ａ０６）前記シート反転路の上端と前記下流側シート搬送路とを接続するシート反転用接続路、
（Ａ０７）前記下流側シート搬送路を搬送されるシートの搬送方向を前記排紙トレイまたはシート反転用接続路のいずれかに切り替え可能な搬送方向切替部材、
（Ａ０８）前記シート反転路の上端に配置された搬送ロールであって、前記シート反転路側から前記上流側シート搬送路側にシートを搬送する正回転および前記シート反転用接続路側からシート反転路側にシートを搬送する逆回転が可能な正逆回転搬送ロール、
（Ａ０９）前記シート反転路に搬送されたシートまたは前記個別給紙路から給紙されたシートが前記正逆回転搬送ロールに保持された状態で前記正逆回転搬送ロールが正回転したときに前記正逆回転搬送ロールにより搬送されるシートを上流側シート搬送路に搬送するシート搬送方向制御部材、
（Ａ０１０）前記シート反転用接続路からシート反転路に搬送されたシートの先端部が前記個別給紙路とシート反転路との接続部を通過する際、前記シートが前記給紙路に搬送されないようにシート搬送方向を制御するシート搬送方向制御部材。
【請求項２】
下記の構成要件（Ａ０１′），（Ａ０２′），（Ａ０１１）を備えた請求項１記載の画像形成装置、
（Ａ０１′）上下方向に配置された複数の前記給紙トレイ、
（Ａ０２′）前記給紙トレイの一端側に配置され且つ前記給紙トレイから取り出されたシートを搬送する給紙路であって、前記各給紙トレイの一端側の外側にシートを搬送する複数の各個別給紙路と、前記各個別給紙路の下流端に接続され且つ上下に延びる接続給紙路とを有する前記給紙路、
（Ａ０１１）前記接続給紙路と兼用のシート反転路の上端および途中に配置された複数の正逆回転可能な正逆回転搬送ロール。
【請求項３】
下記の構成要件（Ａ０１２）〜（Ａ０１４）を備えた請求項１または２記載の画像形成装置、
（Ａ０１２）前記給紙トレイの上方で且つ前記画像記録位置の下方を前記給紙トレイの一端側から他端側に横切って配置された上流側シート搬送路下側部分と、前記給紙トレイの前記他端側の上方の位置と前記画像記録位置との間に配置された上流側シート搬送路上側部分とを有する前記上流側シート搬送路、
（Ａ０１３）前記給紙トレイの前記一端側の上方に配置された前記下流側シート搬送路、
（Ａ０１４）前記給紙トレイの一端側に配置された前記シート反転路の上端と前記下流側シート搬送路とを接続する前記シート反転用接続路。
【請求項４】
下記の構成要件（Ａ０１５）〜（Ａ０１７）を備えた請求項１または２記載の画像形成装置、
（Ａ０１５）前記給紙トレイの前記一端側の上方に配置された前記上流側シート搬送路、
（Ａ０１６）前記給紙トレイの前記他端側の上方に配置された前記下流側シート搬送路、
（Ａ０１７）前記給紙トレイの上方で且つ前記画像記録位置の下方を前記給紙トレイの他端側から一端側に横切って配置された前記シート反転用接続路。
【発明の詳細な説明】
【０００１】
【産業上の利用分野】
本発明は、給紙トレイに収容された複数のシートを１枚づつ取り出して画像記録位置に搬送する給紙装置を備えた画像形成装置に関し、特に、シート片面に画像を記録した片面記録済シートをシート反転路により反転させてから前記画像記録位置に再送してシートの両面に画像記録を行う画像形成装置に関する。
本発明は電子写真方式またはインクジェット記録式の複写機、プリンター、ＦＡＸ等の画像形成装置で使用することができる。
【０００２】
【従来の技術】
従来の前記種類の画像形成装置では、給紙トレイに収容されたシートを取り出して前記給紙トレイの一端側に設けた給紙路に搬送する。給紙路には互いに圧接する圧接領域により分離領域を形成する給紙ロールおよび分離部材を有する給紙装置が配置されており、前記給紙装置は、搬送されたシートを１枚づつ分離して給紙路の下流端に接続するシート搬送路に給紙する。シート搬送路を搬送されるシートは、画像記録位置において画像が記録される。片面画像記録の場合には、前記画像記録位置においてシートの第１面に画像記録されたシートは、排紙トレイに排紙される。両面画像記録の場合には、前記画像記録位置において第１面に画像記録されたシートはシート反転路で反転されてから前記画像記録位置に再送され、シートの第２面に画像記録が行われる。前記シート両面に画像記録されたシートは前記排紙トレイに排紙される。
【０００３】
前記従来の画像形成装置では、前記シート反転路は、前記給紙トレイの前記一端側に設けた給紙路とは反対側の位置（給紙トレイの他端側）に配置されることが多かった。この理由は、従来の画像形成装置では給紙トレイの上方に画像記録位置が配置されることが多かったので、給紙トレイの一端側から取り出されたシートは給紙トレイ上方の画像記録位置に最短距離で搬送され、前記画像記録位置を通過した時点で前記給紙トレイの一端側とは反対側の他端側の上方位置に移動している。前記給紙トレイの他端側の上方位置に移動したシートを反転させるための従来シート反転路は、次のように構成されていた。
（１）前記給紙トレイの他端側の上方位置からさらに上方に配置された排紙トレイへシートを搬送するための排紙路（下流側シート搬送路の下流側部分）をシート反転路と兼用する構成。
（２）前記給紙トレイの他端側の上方位置から下方に延びて前記給紙トレイの他端側に配置される構成。
したがって、従来の画像形成装置においては、給紙トレイの一端側に給紙路を設け、前記給紙トレイの他端側にシート反転路を設けるのが一般的であった。
【０００４】
【発明が解決しようとする課題】
前記（１）の構成では、排紙トレイ手前の排紙路を使用してシート反転を行うので、シート反転を行っている間は、次のシートを排紙路に搬送できない。このため、排紙路の手前で待機させる必要があった。前記排紙路の手前には定着装置が有るので、シートが定着装置に入った状態でシートを待機させると、シートが燃えるおそれがある。このため、シートを待機させる位置を定着装置の手前に設定しなければならない。この場合、画像形成作業効率が低下するという問題点があった。また、定着領域と転写領域との距離が短い場合には、定着領域の手前の位置でシートを待機させると、シートが転写領域に入っている状態でシートを待機させなければならない。その場合は転写不良が生じるため、シートの待機位置は転写領域の上流位置に設定しなければならなくなる。この場合、さらに、画像形成作業効率がさらに低下するという問題点があった。
【０００５】
前記（２）の構成では、給紙トレイの両側にシート搬送路（給紙路およびシート反転路）が形成されていたので、給紙トレイのシート取出方向の幅が大きくなり、画像形成装置の小型化の妨げになるという問題点があった。
本発明は、前述の事情に鑑み、画像形成装置において下記（Ｏ０１）の記載内容を課題とする。
（Ｏ０１）画像作業形成効率を低下させることなく、且つ専用のシート反転路を設けることなく、シートを反転できるようにすること。
【０００６】
【課題を解決するための手段】
次に、前記課題を解決するために案出した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００７】
（本発明）
前記課題を解決するために、本発明の画像形成装置は、下記の構成要件（Ａ０１）〜（Ａ０１０）を備えたことを特徴とする。
（Ａ０１）画像記録位置（Ｑ４）の下方に配置された給紙トレイ（ＴＲ１，ＴＲ２）、
（Ａ０２）前記給紙トレイ（ＴＲ１，ＴＲ２）の一端側に配置され且つ前記給紙トレイ（ＴＲ１，ＴＲ２）から取り出されたシートを搬送する給紙路（ＳＨ１）であって、前記給紙トレイ（ＴＲ１，ＴＲ２）の一端側の外側にシートを搬送する個別給紙路（ＳＨ１ａ）と、前記個別給紙路（ＳＨ１ａ）の下流端に接続され且つ上下に延びる接続給紙路（ＳＨ１ｂ）とを有する前記給紙路（ＳＨ１）、
（Ａ０３）前記接続給紙路（ＳＨ１ｂ）と兼用される部分を有するシート反転路（ＳＨ４）、
（Ａ０４）前記シート反転路（ＳＨ４）の上端部と前記画像記録位置（Ｑ４）との間を接続する上流側シート搬送路（ＳＨ２）、
（Ａ０５）前記画像記録位置（Ｑ４）と排紙トレイ（ＴＲｈ）との間を接続する下流側シート搬送路（ＳＨ３）、
（Ａ０６）前記シート反転路（ＳＨ４）の上端と前記下流側シート搬送路（ＳＨ３）とを接続するシート反転用接続路（ＳＨ５）、
（Ａ０７）前記下流側シート搬送路（ＳＨ３）を搬送されるシートの搬送方向を前記排紙トレイ（ＴＲｈ）またはシート反転用接続路（ＳＨ５）のいずれかに切り替え可能な搬送方向切替部材（ＧＴ３）、
（Ａ０８）前記シート反転路（ＳＨ４）の上端に配置された搬送ロールであって、前記シート反転路（ＳＨ４）側から前記上流側シート搬送路（ＳＨ２）側にシートを搬送する正回転および前記シート反転用接続路側（ＳＨ５）からシート反転路（ＳＨ４）側にシートを搬送する逆回転が可能な正逆回転搬送ロール（Ｒｂ）、
（Ａ０９）前記シート反転路（ＳＨ４）に搬送されたシートまたは前記個別給紙路（ＳＨ１ａ）から給紙されたシートが前記正逆回転搬送ロール（Ｒｂ）に保持された状態で前記正逆回転搬送ロール（Ｒｂ）が正回転したときに前記正逆回転搬送ロール（Ｒｂ）により搬送されるシート（Ｓ）を上流側シート搬送路（ＳＨ２）に搬送するシート搬送方向制御部材（ＧＴ２）、
（Ａ０１０）前記シート反転用接続路（ＳＨ５）からシート反転路（ＳＨ４）に搬送されたシートの先端部が前記個別給紙路（ＳＨ１ａ）とシート反転路（ＳＨ４）との接続部を通過する際、前記シートが前記個別給紙路（ＳＨ１ａ）に搬送されないようにシート搬送方向を制御するシート搬送方向制御部材（ＧＴ１）。
【０００８】
（本発明の作用）
前記構成を備えた本発明の画像形成装置では、画像記録位置（Ｑ４）の下方に配置された給紙トレイ（ＴＲ１，ＴＲ２）の一端側から取り出されたシートは、前記一端側に配置された個別給紙路（ＳＨ１ａ）から、シート反転路（ＳＨ４）の一部として兼用され且つ上下に延びる接続給紙路（ＳＨ１ｂ）（シート反転路（ＳＨ４）の一部）に搬送される。前記接続給紙路（ＳＨ１ｂ）に搬送されたシートは接続給紙路（ＳＨ１ｂ）の上端に配置された正逆回転搬送ロール（Ｒｂ）の正転により上方に搬送される。このとき、前記接続給紙路（ＳＨ１ｂ）から給紙されたシートは、シート搬送方向制御部材（ＧＴ２）によりシート反転接続路（ＳＨ５）ではなく、上流側シート搬送路（ＳＨ２）に搬送される。
上流側シート搬送路（ＳＨ２）に搬送されたシートは画像記録位置（Ｑ４）を通る際に画像が記録される。前記画像が記録されたシートは下流側シート搬送路（ＳＨ３）に搬送される。シート片面に画像が記録された片面記録済シートは、前記下流側シート搬送路（ＳＨ３）に搬送される。前記片面記録済シートは、片面記録の場合には搬送方向切替部材（ＧＴ３）により下流側シート搬送路（ＳＨ３）から排紙トレイ（ＴＲｈ）に排出され、両面記録の場合には前記搬送方向切替部材（ＧＴ３）により下流側シート搬送路（ＳＨ３）からシート反転用接続路（ＳＨ５）を通って前記シート反転路（ＳＨ４）（接続給紙路（ＳＨ１ｂ））の上端に搬送される。
【０００９】
前記シート反転用接続路（ＳＨ５）からシート反転路（ＳＨ４）の上端に搬送された片面記録済シートは、正逆回転搬送ロール（Ｒｂ）の逆回転によりシート反転路（ＳＨ４）の下方に搬送される。この片面記録済シートの先端部が前記個別給紙路（ＳＨ１ａ）とシート反転路（ＳＨ４）との接続部を通過する際、シート搬送方向制御部材（ＧＴ１）は、前記シートが前記個別給紙路（ＳＨ１ａ）に搬送されないようにシート搬送方向を制御する。すなわち、前記片面記録済シートは、前記シート反転路（ＳＨ４）（接続給紙路（ＳＨ１ｂ））の下方に搬送される。この片面記録済シートは前記正逆回転ロールの正転によりシート反転路（ＳＨ４）から上方に搬送される。このシート反転路（ＳＨ４）から上方に搬送される片面記録済シート（Ｓ）は、シート搬送方向制御部材（ＧＴ２）により、前記シート反転用接続路（ＳＨ５）の方ではなく、上流側シート搬送路（ＳＨ２）に搬送される。上流側シート搬送路（ＳＨ２）に搬送された片面記録済シート（Ｓ）は前記画像記録位置（Ｑ４）を通過する際にシートの第２面に画像が記録され両面記録される。この両面記録された両面記録済シートは下流側シート搬送路（ＳＨ３）から前記排紙トレイ（ＴＲｈ）に排紙される。
【００１０】
前記本発明の画像形成装置では、シート排紙トレイ（ＴＲｈ）の手前のシート搬送路を使用せずにシートを反転させるので、反転するシートに後続するシートが定着装置の手前で待機する必要が無くなる。したがって、画像形成作業効率が高くなる。また、給紙路（ＳＨ１）とシート反転路（ＳＨ４）とを兼用することができるので、専用のシート反転路（ＳＨ４）を新たに設けることなく、シートを反転させることができる。そして、反転したシートを、画像記録位置（Ｑ４）に再送して両面記録をすることができる。
【００１１】
前記本発明の画像形成装置において下記の構成要件（Ａ０１′），（Ａ０２′），（Ａ０１１）を備えることが可能である。
（Ａ０１′）上下方向に配置された複数の前記給紙トレイ（ＴＲ１，ＴＲ２）、
（Ａ０２′）前記給紙トレイ（ＴＲ１，ＴＲ２）の一端側に配置され且つ前記給紙トレイ（ＴＲ１，ＴＲ２）から取り出されたシートを搬送する給紙路（ＳＨ１）であって、前記各給紙トレイ（ＴＲ１，ＴＲ２）の一端側の外側にシート（Ｓ）を搬送する複数の各個別給紙路（ＳＨ１ａ）と、前記各個別給紙路（ＳＨ１ａ）の下流端に接続され且つ上下に延びる接続給紙路（ＳＨ１ｂ）とを有する前記給紙路（ＳＨ１）、
（Ａ０１１）前記接続給紙路（ＳＨ１ｂ）と兼用のシート反転路（ＳＨ４）の上端および途中に配置された複数の正逆回転可能な正逆回転搬送ロール（Ｒｂ）。
【００１２】
前記構成要件（Ａ０１′），（Ａ０２′），（Ａ０１１）を備えた画像形成装置では、画像記録位置（Ｑ４）の下方に配置された複数の各給紙トレイ（ＴＲ１，ＴＲ２）の一端側から取り出されたシートは、前記一端側に配置された複数の各給紙路（ＳＨ１）から、前記一端側に配置されたシート反転路（ＳＨ４）に搬送される。シート反転路（ＳＨ４）に搬送されたシートはシート反転路（ＳＨ４）に配置された正逆回転搬送ロール（Ｒｂ）の正転により上方に搬送される。このとき、前記個別給紙路（ＳＨ１）からシート反転路（ＳＨ４）に給紙されたシート（Ｓ）は、シート搬送方向制御部材（ＧＴ２）によりシート反転接続路（ＳＨ５）ではなく、上流側シート搬送路（ＳＨ２）に搬送される。
前記画像記録位置（Ｑ４）において、シート片面に画像が記録された片面記録済シート（Ｓ）は、前記下流側シート搬送路（ＳＨ３）に搬送される。前記片面記録済シート（Ｓ）は、片面記録の場合には搬送方向切替部材（ＧＴ３）により下流側シート搬送路（ＳＨ３）から排紙トレイ（ＴＲｈ）に排出され、両面記録の場合には前記搬送方向切替部材により下流側シート搬送路（ＳＨ３）からシート反転用接続路（ＳＨ５）を通って前記シート反転路（ＳＨ４）の上端に搬送される。
【００１３】
前記シート反転用接続路（ＳＨ５）からシート反転路（ＳＨ４）の上端に搬送された片面記録済シート（Ｓ）は、シート反転路（ＳＨ４）の上端および途中に配置された正逆回転搬送ロール（Ｒｂ）の逆回転によりシート反転路（ＳＨ４）の下方に搬送される。この片面記録済シート（Ｓ）の先端部が前記個別給紙路（ＳＨ１ａ）とシート反転路（ＳＨ４）との接続部を通過する際、シート搬送方向制御部材（ＧＴ１）は、前記シートが前記給紙路（ＳＨ１）に搬送されないようにシート搬送方向を制御する。すなわち、前記片面記録済シート（Ｓ）は、前記シート反転路（ＳＨ４）の下方に搬送される。この片面記録済シート（Ｓ）は前記正逆回転ロールの正転によりシート反転路（ＳＨ４）から上方に搬送される。
【００１４】
前記本発明または前記構成要件（Ａ０１′），（Ａ０２′），（Ａ０１１）を備えた画像形成装置において下記の構成要件（Ａ０１２）〜（Ａ０１４）を備えることが可能である。
（Ａ０１２）前記給紙トレイ（ＴＲ１，ＴＲ２）の上方で且つ前記画像記録位置（Ｑ４）の下方を前記給紙トレイ（ＴＲ１，ＴＲ２）の一端側から他端側に横切って配置された上流側シート搬送路（ＳＨ２）下側部分と、前記給紙トレイ（ＴＲ１，ＴＲ２）の前記他端側の上方の位置と前記画像記録位置（Ｑ４）との間に配置された上流側シート搬送路（ＳＨ２）上側部分とを有する前記上流側シート搬送路（ＳＨ２）、
（Ａ０１３）前記給紙トレイ（ＴＲ１，ＴＲ２）の前記一端側の上方に配置された前記下流側シート搬送路（ＳＨ３）、
（Ａ０１４）前記給紙トレイ（ＴＲ１，ＴＲ２）の一端側に配置された前記シート反転路（ＳＨ４）の上端と前記下流側シート搬送路（ＳＨ３）とを接続する前記シート反転用接続路（ＳＨ５）。
【００１５】
前記構成要件（Ａ０１２）〜（Ａ０１４）を備えた画像形成装置では、上流側シート搬送路（ＳＨ２）が、前記給紙トレイ（ＴＲ１，ＴＲ２）の上方で且つ前記画像記録位置（Ｑ４）の下方を前記給紙トレイ（ＴＲ１，ＴＲ２）の一端側から他端側に横切って配置された上流側シート搬送路（ＳＨ２）下側部分を有するので、上流側シート搬送路（ＳＨ２）の長さが長くなるが、その代わりに、下流側シート搬送路（ＳＨ３）が前記シート反転路（ＳＨ４）の上端の上方に配置されることとなるので、前記下流側シート搬送路（ＳＨ３）と前記シート反転路（ＳＨ４）の上端とを接続する前記シート反転用接続路（ＳＨ５）の長さが短くなる。
【００１６】
前記本発明または前記構成要件（Ａ０１′），（Ａ０２′），（Ａ０１１）を備えた画像形成装置において下記の構成要件（Ａ０１５）〜（Ａ０１７）を備えることが可能である。
（Ａ０１５）前記給紙トレイ（ＴＲ１，ＴＲ２）の前記一端側の上方に配置された前記上流側シート搬送路（ＳＨ２）、
（Ａ０１６）前記給紙トレイ（ＴＲ１，ＴＲ２）の前記他端側の上方に配置された前記下流側シート搬送路（ＳＨ３）、
（Ａ０１７）前記給紙トレイ（ＴＲ１，ＴＲ２）の上方で且つ前記画像記録位置（Ｑ４）の下方を前記給紙トレイ（ＴＲ１，ＴＲ２）の他端側から一端側に横切って配置された前記シート反転用接続路（ＳＨ５）。
【００１７】
前記構成要件（Ａ０１５）〜（Ａ０１７）を備えた画像形成装置では、シート反転用接続路（ＳＨ５）が、前記給紙トレイ（ＴＲ１，ＴＲ２）の上方で且つ前記画像記録位置（Ｑ４）の下方を前記給紙トレイ（ＴＲ１，ＴＲ２）の他端側から一端側に横切って配置されるので、シート反転用接続路（ＳＨ５）の長さが長くなるが、その代わりに、上流側シート搬送路（ＳＨ２）が前記給紙トレイ（ＴＲ１，ＴＲ２）の一端側に配置される給紙路（ＳＨ１）およびシート反転路（ＳＨ４）の上端の上方に配置されることとなるので、前記上流側シート搬送路（ＳＨ２）の長さが短くなる。
【００１８】
【実施の形態】
次に図面を参照しながら、本発明の実施の形態を説明するが、本発明は以下の実施の形態に限定されるものではない。
（実施の形態１）
図１は本発明の画像形成装置の実施の形態１の縦断面図である。
図１において、画像形成装置Ｕは、上面にプラテンガラス（透明な原稿台）ＰＧを有する画像形成装置本体としてのデジタル式の複写機本体Ｕ１と、前記プラテンガラスＰＧ上に着脱自在に装着される自動原稿搬送装置（オートドキュメントフィーダ、ＡＤＦ）Ｕ２とを備えている。
前記自動原稿搬送装置Ｕ２は、複写しようとする複数の原稿Ｇｉが重ねて載置される原稿給紙トレイＴＧ１を有している。前記原稿給紙トレイＴＧ１に載置された複数の各原稿Ｇｉは順次プラテンガラスＰＧ上の複写位置を通過して原稿排紙トレイＴＧ２に排出されるように構成されている。
【００１９】
前記複写機Ｕ１は、ＵＩ（ユーザインタフェース）と、前記プラテンガラスＰＧの下方に順次配置された画像読取部としてのＩＩＴ（イメージインプットターミナル）および画像記録用作動部としてのＩＯＴ（イメージアウトプットターミナル）と、前記ＩＩＴまたはＩＯＴに設けられたＩＰＳ（イメージプロセッシングシステム）とを有している。
複写機本体Ｕ１上面の透明なプラテンガラスＰＧの下方に配置された原稿読取装置としてのＩＩＴは、プラテンレジ位置に配置された露光系レジセンサ（プラテンレジセンサ）Ｓｐ、および露光光学系Ａを有している。
【００２０】
前記露光光学系Ａは、その移動および停止が露光系レジセンサＳｐの検出信号により制御され、常時はホーム位置に停止している。
前記自動原稿搬送装置（オートドキュメントフィーダ）Ｕ２を使用して複写を行うＡＤＦモードの場合は、前記露光光学系Ａはホーム位置に停止した状態で、プラテンガラスＰＧ上の複写位置を順次通過する各原稿Ｇｉを露光する。
原稿Ｇｉを作業者が手でプラテンガラスＰＧ上に置いて複写を行うプラテンモードの場合、露光光学系Ａは移動しながらプラテンガラスＰＧ上の原稿を露光走査する。
露光された前記原稿Ｇｉからの反射光は、前記露光光学系Ａを通ってＣＣＤ（固体撮像素子）上に収束される。前記ＣＣＤは、その撮像面上に収束された原稿反射光を電気信号に変換する。
【００２１】
また、ＩＰＳは、前記ＣＣＤから入力された読取画像信号をデジタルの画像書込信号に変換してＩＯＴのレーザ駆動信号出力装置ＤＬに出力する。
前記レーザ駆動信号出力装置ＤＬは、入力された画像データに応じたレーザ駆動信号をＲＯＳ（潜像書込走査装置）に出力する。
【００２２】
前記ＲＯＳの下方に配置された感光体ドラム（本実施の形態のトナー像担持体）ＰＲは、矢印Ｙａ方向に回転する。前記感光体ドラムＰＲ表面は、帯電領域Ｑ０において帯電器（チャージロール）ＣＲにより例えば−（マイナス）７００Ｖに帯電された後、潜像書込位置Ｑ１において前記ＲＯＳ（潜像書込装置）のレーザビームＬにより露光走査されて例えば−３００Ｖの静電潜像が形成される。前記感光体ドラムＰＲへのレーザビームＬによる潜像形成は、シートセンサ（図示せず）がシート先端を検知してから所定の時間経時後に開始される。前記静電潜像が形成された感光体ドラムＰＲ表面は回転移動して現像領域Ｑ２、転写領域（画像記録位置）Ｑ４を順次通過する。
【００２３】
前記現像領域Ｑ２において前記静電潜像を現像する現像器Ｄは、−（マイナス）帯電極性のトナーおよびプラス帯電極性のキャリアを含む現像剤を現像ロールＲ０により現像領域Ｑ２に搬送し、前記現像領域Ｑ２を通過する感光体ドラムＰＲ上の静電潜像をトナー像Ｔｎに現像する。
前記転写領域（画像記録位置）Ｑ４において前記感光体ドラムＰＲに対向する転写ロールＴＲは、感光体ドラムＰＲ表面のトナー像をシートＳに転写する部材であり、現像器Ｄで使用される現像用のトナーの帯電極性と逆極性の転写電圧が電源回路Ｅから供給される。前記帯電ロールに印加する帯電バイアス、現像ロールに印加する現像バイアス、転写ロールＴＲに印加する転写バイアス等のバイアス、後述の定着装置Ｆの加熱ロールのヒータを加熱するヒータ電源等を有する電源回路ＥはコントローラＣにより制御される。
【００２４】
画像形成装置本体Ｕ１の下部には第１給紙トレイＴＲ１および第２第２給紙トレイＴＲ２が上下に並んで配置されている。
前記第１給紙トレイＴＲ１および第２給紙トレイＴＲ２の一端部（左端部）の上端部には取出ロール（ピックアップロール）Ｒｐが配置されており、前記取出ロールＲｐは左側（一端側）にシートを取出可能である。
図１において、前記第１給紙トレイＴＲ１および第２給紙トレイＴＲ２の左側（一端側）には給紙路ＳＨ１が配置されている。給紙路ＳＨ１は、各給紙トレイＴＲ１およびＴＲ２からそれぞれ個別に左側（一端側）に給紙する個別給紙路ＳＨ１ａ，ＳＨ１ａと、上下に延び且つ前記各個別給紙路ＳＨ１ａ，ＳＨ１ａの下流端部が接続される接続給紙路ＳＨ１ｂとを有している。
【００２５】
前記給紙路ＳＨ１の各個別給紙路ＳＨ１ａには給紙部材Ｒｓが配置されている。給紙部材Ｒｓは、互いに圧接する給紙ロールＲｓ１と分離部材Ｒｓ２とを有している。
各給紙トレイＴＲ１またはＴＲ２のシートＳは、所定のタイミングで取出ロールＲｐにより左側（一端側）に取り出され、前記給紙トレイ左側（一端側）に配置された給紙路ＳＨ１の前記各個別給紙路ＳＨ１ａの給紙部材Ｒｓで１枚づつ分離されて、前記接続給紙路ＳＨ１ｂの上端（シート搬送方向下流端）に搬送される。前記接続給紙路ＳＨ１ｂの上端部（すなわち、給紙路ＳＨ１の下流端部）および途中には正回転および逆回転が可能な正逆回転搬送ロールＲｂが配置されている。
【００２６】
前記上下に延びる接続給紙路ＳＨ１ｂは、両面記録を行う場合に片面記録済シートを反転させるためのシート反転路ＳＨ４の一部として使用される。すなわち、シート反転路ＳＨ４は、前記上下に延びる接続給紙路ＳＨ１ｂとその下端から下方に延長しさらに画像形成装置Ｕの下端部から右方に曲がって延長される下方延長部分とを有している。したがって、前記接続給紙路ＳＨ１ｂはシート反転路ＳＨ４の一部と兼用である。
そして、前記シート反転路ＳＨ４の一部と兼用の接続給紙路ＳＨ１ｂには、その上端部および途中に正逆回転搬送ロールＲｂが配置されている。前記給紙トレイＴＲ２の個別給紙路ＳＨ１ａと前記接続給紙路ＳＨ１ｂとの接続部にはマイラゲート（シート搬送方向制御部材）ＧＴ１が配置されている。マイラゲートＧＴ１はシート状弾性部材により構成されており、前記個別給紙路ＳＨ１ａから接続給紙路ＳＨ１ｂにシートが搬送されたときには弾性変形してシートＳを接続給紙路ＳＨ１ｂの上方への搬送を可能にするとともに、シート反転路ＳＨ４の一部と兼用の接続給紙路ＳＨ１ｂの上方から下方に搬送されるシートＳを、個別給紙路ＳＨ１ａ側ではなくシート反転路ＳＨ４の一部を形成する接続給紙路ＳＨ１ｂ下方に搬送する機能を有する。このようなマイラゲートＧＴ１の構成は従来公知である。
【００２７】
前記接続給紙路ＳＨ１ｂの上端（シート反転路ＳＨ４の上端）には上流側シート搬送路ＳＨ２およびシート反転用接続路ＳＨ５（後述）が接続されており、その接続部にはマイラゲート（シート搬送方向制御部材）ＧＴ２が配置されている。マイラゲートＧＴ２は、シート反転用接続路ＳＨ５から下方に搬送されるシートＳを前記シート反転路ＳＨ４の一部と兼用の接続給紙路ＳＨ１ｂに通過させるとともに、シート反転路ＳＨ４から上方に搬送されるシートＳを、シート反転用接続路ＳＨ５側ではなく、前記上流側シート搬送路ＳＨ２に搬送する機能を有する。
【００２８】
上流側シート搬送路ＳＨ２は、前記給紙トレイＴＲ１の上方で且つ前記転写領域（画像記録位置）Ｑ４の下方を前記給紙トレイＴＲ１，ＴＲ２の左端側（一端側）から右端側（他端側）に横切って配置された上流側シート搬送路下側部分ＳＨ２ａと、前記給紙トレイＴＲ１，ＴＲ２の前記右端側（他端側）の上方の位置と前記転写領域（画像記録位置）Ｑ４との間に配置された上流側シート搬送路上側部分ＳＨ２ｂとを有している。前記上流側シート搬送路上側部分ＳＨ２ｂには、前記転写領域（画像記録位置）Ｑ４の手前にレジロールＲｒが配置されている。
上流側シート搬送路ＳＨ２に配置された複数の搬送ロールＲａによりレジロールＲｒに搬送され、前記レジロールＲｒに搬送されたシートＳは、前記感光体ドラムＰＲ上のトナー像が転写領域（画像記録位置）Ｑ４に移動するのにタイミングを合わせて、転写前シートガイドＳＧ１から転写領域Ｑ４に搬送される。
【００２９】
前記感光体ドラムＰＲ表面に現像されたトナー像Ｔｎは、前記転写領域Ｑ４において、転写ロールＴＲによりシートＳに転写される。転写後、感光体ドラムＰＲ表面は、感光体クリーナＣＬ１によりクリーニングされて残留トナーが除去され、次に感光体除電器ＪＬにより除電されてから前記帯電ロールＣＲにより再帯電される。
前記感光体ドラムＰＲ、帯電ロールＣＲ、ＲＯＳ（潜像書込装置）、現像装置Ｄ、転写ロールＴＲ、感光体クリーナＣＬ１、感光体除電器ＪＬ等により画像記録部材Ｇ（ＰＲ＋ＣＲ＋ＲＯＳ＋Ｄ＋ＴＲ＋ＣＬ１＋ＪＬ）が構成されている。
【００３０】
前記転写領域（画像記録位置）Ｑ４のシート搬送方向下流側には、前記転写領域Ｑ４でトナー像が記録された記録済シートＳを、画像形成装置本体Ｕ２上部の排紙トレイＴＲｈに搬送するための下流側シート搬送路ＳＨ３が設けられている。
転写領域（画像記録位置）Ｑ４において転写ロールＴＲによりトナー像が転写された前記シートＳは、感光体ドラムＰＲ表面から剥離され、前記下流側シート搬送路ＳＨ３のシートガイドＳＧ２、シート搬送ベルトＢＨにより定着領域Ｑ５に搬送される。前記シートＳは、定着領域Ｑ５を通過する際に定着装置Ｆによりトナー像が加熱定着されてから、前記排紙トレイＴＲｈに搬送される。
前記下流側シート搬送路ＳＨ３には、前記定着装置Ｆの下流側に切替ゲート（シート搬送方向制御部材）ＧＴ３が配置されている。切替ゲートＧＴ３は、前記定着装置Ｆを通過したシートＳの搬送方向を前記排紙トレイＴＲｈ側またはシート反転接続路ＳＨ５のいずれかの方向に切り替える。シート反転用接続路ＳＨ５は、前記下流側シート搬送路ＳＨ３の定着装置Ｆの下流側部分と前記シート反転路ＳＨ４の上端とを接続する。
【００３１】
両面複写の場合、１面目のトナー像が記録された片面記録済シートＳは、前記切替ゲートＧＴ３によりシート反転接続路ＳＨ５から、シート反転路ＳＨ４上端の正逆回転搬送ロールＲｂに搬送される。前記片面記録済シートＳは前記正逆回転搬送ロールＲｂの逆回転によりシート反転路ＳＨ４の下方に搬送される。前記シート後端部が前記正逆回転搬送ロールＲｂを下方に通過する直前に正逆回転搬送ロールＲｂが逆回転して、片面記録済シートＳはスイッチバックして上方に搬送される。このスイッチバックして反転した片面記録済シートＳは、前記マイラゲートＧＴ２により上流側シート搬送路ＳＨ２に再送される。
【００３２】
前記反転して上流側シート搬送路ＳＨ２に再送された片面記録済シートＳは、前記転写領域（画像記録位置）Ｑ４に再送され、２面目にトナー像が転写される。
【００３３】
（実施の形態１の作用）
前記構成を備えた本発明の実施の形態１の画像形成装置では、転写領域（画像記録位置）Ｑ４の下方に配置された複数の給紙トレイＴＲ１，ＴＲ２の一端側（左側）から取り出されたシートＳは、前記一端側に配置された複数の個別給紙路ＳＨ１ａのいずれかから、シート反転路と兼用の上下に延びる接続給紙路ＳＨ１ｂに搬送される。前記接続給紙路（シート反転路）ＳＨ１ｂに搬送されたシートＳは接続給紙路（シート反転路）ＳＨ１ｂの上端に配置された正逆回転搬送ロールＲｂの正転により上方に搬送される。このとき、前記接続給紙路ＳＨ１ｂから給紙されたシートシートＳは、マイラゲート（シート搬送方向制御部材）ＧＴ２によりシート反転接続路ＳＨ５ではなく、上流側シート搬送路ＳＨ２に搬送される。
【００３４】
上流側シート搬送路ＳＨ２に搬送されたシートＳは、前記給紙トレイの上方で且つ前記画像記録位置Ｑ４の下方を前記給紙トレイの左端側（一端側）から右端側（他端側）に横切って配置された上流側シート搬送路下側部分ＳＨ２ａを通って、前記給紙トレイＴＲ１，ＴＲ２の前記右端側（他端側）の上方の位置に搬送される。このシートＳは、上流側シート搬送路上側部分ＳＨ２ｂを通って前記転写領域（画像記録位置）Ｑ４の手前のレジロールＲｒに搬送される。
レジロールＲｒに搬送されたシートＳは、レジロールＲｒで一端停止した後、前記感光体ドラムＰＲ上のトナー像が転写領域（画像記録位置）Ｑ４に移動するのにタイミングを合わせて、転写前シートガイドＳＧ１から転写領域（画像記録位置）Ｑ４に搬送される。
【００３５】
前記転写領域（画像記録位置）Ｑ４を通る際に画像が記録された片面記録済シートＳは下流側シート搬送路ＳＨ３に搬送される。前記片面記録済シートＳは、片面記録の場合には切替ゲート（搬送方向切替部材）ＧＴ３により下流側シート搬送路ＳＨ３から排紙トレイＴＲｈに排出され、両面記録の場合には前記マイラゲート（搬送方向切替部材）ＧＴ２により下流側シート搬送路ＳＨ３からシート反転用接続路ＳＨ５を通って前記シート反転路（接続給紙路）ＳＨ１ｂの上端に搬送される。
【００３６】
前記シート反転用接続路ＳＨ５からシート反転路（接続給紙路）ＳＨ１ｂの上端に搬送された片面記録済シートＳは、シート反転路ＳＨ４の上端および途中に配置された正逆回転ロールＲｂの逆回転によりシート反転路ＳＨ４の下方に搬送される。この片面記録済シートＳの先端部が前記複数の個別給紙路ＳＨ１ａと、シート反転路ＳＨ４との接続部（接続給紙路ＳＨ１ｂとの接続部）を通過する際、マイラゲート（シート搬送方向制御部材）ＧＴ２は、前記片面記録済シートＳが前記個別給紙路ＳＨ１ａに搬送されないようにシート搬送方向を制御する。すなわち、前記片面記録済シートＳは、前記個別給紙路ＳＨ１ａに搬送されることなく、前記シート反転路ＳＨ４の下方に搬送される。この片面記録済シートＳは前記正逆回転ロールＲｂの正転によりシート反転路ＳＨ４から上方に搬送される。
【００３７】
このシート反転路ＳＨ４から上方に搬送される片面記録済シートＳは、マイラゲート（シート搬送方向制御部材）ＧＴ２により、前記シート反転用接続路ＳＨ５ではなく、上流側シート搬送路ＳＨ２に再送される。上流側シート搬送路ＳＨ２に再送された片面記録済シートＳは前記転写領域（画像記録位置）Ｑ４を通過する際にシートＳの２面目に画像が記録され、両面複写される。この両面複写された両面記録済シートＳは下流側シート搬送路ＳＨ３から前記排紙トレイＴＲｈに排紙される。
【００３８】
前記実施の形態１の画像形成装置では、下流側シート搬送路ＳＨ３のシート排紙トレイＴＲｈの手前部分（定着装置Ｆの下流部分）を使用せずにシートＳを反転させるので、反転するシートＳに後続するシートがある場合、後続シートは定着装置Ｆの手前で待機する必要が無くなる。したがって、画像形成作業効率が高くなる。また、給紙路ＳＨ１の一部（接続給紙路ＳＨ１ｂ）とシート反転路ＳＨ４の一部とを兼用することができるので、専用のシート反転路を新たに設けることなく、シートＳを反転させることができる。そして、反転したシートＳを、転写領域（画像記録位置）Ｑ４に再送して両面記録をすることができる。
【００３９】
図２は前記実施の形態１のシート搬送方法を示す図で、図２Ａは給紙トレイＴＲ１から取出された１枚目のシート（１）の先端が上流側シート搬送路ＳＨ２に移動した状態を示す図、図２Ｂは１枚目のシート（１）がレジロールＲｒの位置（レジ位置）に移動し且つ２枚目のシート（２）の先端が上流側シート搬送路ＳＨ２に移動した状態を示す図、図２Ｃは１枚目のシート（１）が片面記録されて定着装置Ｆを通過中で且つ２枚目のシート（２）の先端がレジ位置に移動した状態を示す図、図２Ｄは片面記録済の１枚目のシート（１）がシート反転路ＳＨ４に搬送され且つ２枚目のシート（２）の先端が転写領域（画像記録位置）Ｑ４を通過中の状態を示す図である。
【００４０】
図３は前記実施の形態１のシート搬送方法を示す図で、図３Ａは片面記録済の１枚目のシート（１）がシート反転路ＳＨ４で反転され上流側シート搬送路ＳＨ２に移動中で且つ２枚目のシート（２）の先端が定着装置Ｆに移動した状態を示す図、図３Ｂは片面記録済の１枚目のシート（１）の先端がレジロールＲｒの位置（レジ位置）に移動し且つ２枚目のシート（２）が片面記録されて定着装置Ｆを通過している状態を示す図、図３Ｃは片面記録済の１枚目のシート（１）の先端が転写領域（画像記録位置）Ｑ４を通過中で且つ片面記録済の２枚目のシート（２）がシート反転路ＳＨ４に搬送されている状態を示す図、図３Ｄは１枚目のシート（１）の先端が両面記録されて定着装置Ｆに移動した状態を示し且つ片面記録済の２枚目のシート（２）がシート反転路ＳＨ４で反転され上流側シート搬送路ＳＨ２に移動している状態を示す図である。
【００４１】
図４は前記実施の形態１のシート搬送方法を示す図で、図４Ａは１枚目のシート（１）の先端が両面記録されて定着装置Ｆを通過して排出トレイＴＲｈ（図１参照）側に移動している状態を示し且つ片面記録済の２枚目のシート（２）の先端がレジロールＲｒの位置（レジ位置）に移動し且つ給紙トレイＴＲ１から取出された３枚目のシート（３）の先端が上流側シート搬送路ＳＨ２に移動した状態を示す図、図４Ｂは２枚目のシート（２）の先端が両面記録されて定着装置Ｆを通過して排出トレイＴＲｈ（図１参照）側に移動している状態を示し且つ３枚目のシート（３）がレジロールＲｒの位置（レジ位置）に移動し且つ給紙トレイＴＲ１から取出された４枚目のシート（４）の先端が上流側シート搬送路ＳＨ２に移動した状態を示す図である。
【００４２】
実施の形態１では、両面複写場合、前記図２〜４で説明したようにシートの搬送が行われる。
図１〜図４およびその説明から分かるように、前記実施の形態１では、上流側シート搬送路ＳＨ２が、前記給紙トレイＴＲ１の上方で且つ前記転写領域（画像記録位置）Ｑ４の下方を前記給紙トレイＴＲ１，ＴＲ２の左端側（一端側）から右端側（他端側）に横切って配置された上流側シート搬送路下側部分ＳＨ２ａを有するので、上流側シート搬送路ＳＨ２の長さが長くなるが、その代わりに、下流側シート搬送路ＳＨ３が前記シート反転路ＳＨ４の上方に配置されることとなるので、前記下流側シート搬送路ＳＨ３と前記シート反転路ＳＨ４の上端とを接続する前記シート反転用接続路ＳＨ５の長さが短くなる。
【００４３】
（実施の形態２）
図５は本発明の画像形成装置の実施の形態２の縦断面図である。
なお、この実施の形態２の説明において、前記実施の形態１の構成要素に対応する構成要素には同一の符号を付して、その詳細な説明を省略する。
この実施の形態２は、下記の点で前記実施の形態１と相違しているが、他の点では前記実施の形態１と同様に構成されている。
図５において、前記給紙トレイＴＲ１，ＴＲ２の前記左端側（一端側）に配置された接続給紙路（シート反転路）ＳＨ１ｂの上端は上流側シート搬送路ＳＨ２に接続されている。前記上流側シート搬送路ＳＨ２は、給紙トレイＴＲ１の前記左端側（一端側）の上方に配置されており、前記接続給紙路（シート反転路）ＳＨ１ｂの上端と転写領域（画像記録位置）Ｑ４との間に配置されている。
【００４４】
前記転写領域（画像記録位置）Ｑ４から画像形成装置Ｕ上部の排紙トレイＴＲｈとの間に配置される下流側シート搬送路ＳＨ３は、前記給紙トレイＴＲ１の右端側（他端側）の上方に配置されている。前記下流側シート搬送路ＳＨ３に配置された定着装置Ｆの下流側にはシート反転用接続路ＳＨ５が接続されている。前記シート反転用接続路ＳＨ５は、前記給紙トレイＴＲ１の上方で且つ前記転写領域（画像記録位置）Ｑ４の下方を前記給紙トレイＴＲ１の右端側（他端側）から左端側（一端側）に横切って配置されている。
【００４５】
前記実施の形態２の画像形成装置Ｕでは、シート反転用接続路ＳＨ５が、前記給紙トレイＴＲ１の上方で且つ前記転写領域（画像記録位置）Ｑ４の下方を前記給紙トレイＴＲ１の他端側（右端側）から一端側（左端側）に横切って配置されるので、横切らず配置する場合（実施の形態１の図１参照）に比較してシート反転用接続路ＳＨ５の長さが長くなるが、その代わりに、上流側シート搬送路ＳＨ２が前記給紙トレイＴＲ１の左端側（一端側）に配置されるシート反転路（接続給紙路）ＳＨ１ｂの上端の上方に配置されることとなるので、前記上流側シート搬送路ＳＨ２を給紙トレイＴＲ１の他端側（右端側）から一端側（左端側）に横切らずに配置できる。すなわち、上流側シート搬送路ＳＨ２を給紙トレイＴＲ１の一端側のみ配置できるので実施の形態１の図１に比較して上流側シート搬送路ＳＨ２の長さが短くなる。
この実施の形態２の画像形成装置Ｕは、接続給紙路ＳＨ１ｂとシート反転路ＳＨ４の一部とが兼用されているので、専用のシート反転路を新たに設けることなく、シートを反転させることができる。
【００４６】
図６は前記実施の形態２のシート搬送方法を示す図で、図６Ａは給紙トレイＴＲ１から取出された１枚目のシート（１）の先端が上流側シート搬送路ＳＨ２に移動した状態を示す図、図６Ｂは１枚目のシート（１）が片面記録されて定着装置Ｆを通過中で且つ２枚目のシート（２）の先端が上流側シート搬送路ＳＨ２に移動した状態を示す図、図６Ｃは片面記録済の１枚目のシート（１）がシート反転路ＳＨ４に搬送中で且つ２枚目のシート（２）が片面記録されて定着装置Ｆを通過している状態を示す図、図６Ｄは片面記録済の１枚目のシート（１）がシート反転路ＳＨ４で反転され上流側シート搬送路ＳＨ２に再搬送している状態を示し且つ片面記録済みの２枚目のシート（２）がシート反転接続路ＳＨ５に移動した状態を示す図である。
【００４７】
図７は前記実施の形態２のシート搬送方法を示す図で、図７Ａは１枚目のシート（１）の先端が両面記録されて定着装置Ｆを通過して排出トレイＴＲｈ（図５参照）側に移動している状態を示し且つ片面記録済の２枚目のシート（２）がシート反転路ＳＨ４に搬送している状態を示す図、図７Ｂは片面記録済の２枚目のシート（２）がシート反転路ＳＨ４で反転され上流側シート搬送路ＳＨ２に再搬送している状態を示す図、図７Ｃは２枚目のシート（２）の先端が両面記録されて定着装置Ｆを通過して排出トレイＴＲｈ（図５参照）側に移動している状態を示し且つ給紙トレイＴＲ１から取出された３枚目のシート（３）の先端が上流側シート搬送路ＳＨ２に移動した状態を示す図である。
【００４８】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（Ｈ０１）本発明は、モノクロの複写機以外の画像形成装置、例えばカラー複写機、プリンタ、ＦＡＸ（ファクシミリ）等にも適用することが可能である。
（Ｈ０２）本発明はレーザ書込装置以外の画像書込装置、例えば液晶パネル、発光ダイオード、または蛍光表示管等の光書込ヘッドを用いた画像形成装置や、インクジェット形式の画像形成装置にも適用することが可能である。
【００４９】
【発明の効果】
前述の本発明の加熱ロールユニットおよび画像形成装置は、下記の効果（Ｅ０１）を奏することができる。
（Ｅ０１）画像形成作業効率を低下させることなく、且つ専用のシート反転路を設けることなく、シートを反転できるようにすることができる。
【図面の簡単な説明】
【図１】図１は本発明の画像形成装置の実施の形態１の縦断面図である。
【図２】図２は前記実施の形態１のシート搬送方法を示す図で、図２Ａは給紙トレイＴＲ１から取出された１枚目のシート（１）の先端が上流側シート搬送路ＳＨ２に移動した状態を示す図、図２Ｂは１枚目のシート（１）がレジロールＲｒの位置（レジ位置）に移動し且つ２枚目のシート（２）の先端が上流側シート搬送路ＳＨ２に移動した状態を示す図、図２Ｃは１枚目のシート（１）が片面記録されて定着装置Ｆを通過中で且つ２枚目のシート（２）の先端がレジ位置に移動した状態を示す図、図２Ｄは片面記録済の１枚目のシート（１）がシート反転路ＳＨ４に搬送され且つ２枚目のシート（２）の先端が転写領域（画像記録位置）Ｑ４を通過中の状態を示す図である。
【図３】図３は前記実施の形態１のシート搬送方法を示す図で、図３Ａは片面記録済の１枚目のシート（１）がシート反転路ＳＨ４で反転され上流側シート搬送路ＳＨ２に移動中で且つ２枚目のシート（２）の先端が定着装置Ｆに移動した状態を示す図、図３Ｂは片面記録済の１枚目のシート（１）の先端がレジロールＲｒの位置（レジ位置）に移動し且つ２枚目のシート（２）が片面記録されて定着装置Ｆを通過している状態を示す図、図３Ｃは片面記録済の１枚目のシート（１）の先端が転写領域（画像記録位置）Ｑ４を通過中で且つ片面記録済の２枚目のシート（２）がシート反転路ＳＨ４に搬送されている状態を示す図、図３Ｄは１枚目のシート（１）の先端が両面記録されて定着装置Ｆに移動した状態を示し且つ片面記録済の２枚目のシート（２）がシート反転路ＳＨ４で反転され上流側シート搬送路ＳＨ２に移動している状態を示す図である。
【図４】図４は前記実施の形態１のシート搬送方法を示す図で、図４Ａは１枚目のシート（１）の先端が両面記録されて定着装置Ｆを通過して排出トレイＴＲｈ（図１参照）側に移動している状態を示し且つ片面記録済の２枚目のシート（２）の先端がレジロールＲｒの位置（レジ位置）に移動し且つ給紙トレイＴＲ１から取出された３枚目のシート（３）の先端が上流側シート搬送路ＳＨ２に移動した状態を示す図、図４Ｂは２枚目のシート（２）の先端が両面記録されて定着装置Ｆを通過して排出トレイＴＲｈ（図１参照）側に移動している状態を示し且つ３枚目のシート（３）がレジロールＲｒの位置（レジ位置）に移動し且つ給紙トレイＴＲ１から取出された４枚目のシート（４）の先端が上流側シート搬送路ＳＨ２に移動した状態を示す図である。
【図５】図５は本発明の画像形成装置の実施の形態２の縦断面図である。
【図６】図６は前記実施の形態２のシート搬送方法を示す図で、図６Ａは給紙トレイＴＲ１から取出された１枚目のシート（１）の先端が上流側シート搬送路ＳＨ２に移動した状態を示す図、図６Ｂは１枚目のシート（１）が片面記録されて定着装置Ｆを通過中で且つ２枚目のシート（２）の先端が上流側シート搬送路ＳＨ２に移動した状態を示す図、図６Ｃは片面記録済の１枚目のシート（１）がシート反転路ＳＨ４に搬送中で且つ２枚目のシート（２）が片面記録されて定着装置Ｆを通過している状態を示す図、図６Ｄは片面記録済の１枚目のシート（１）がシート反転路ＳＨ４で反転され上流側シート搬送路ＳＨ２に再搬送している状態を示し且つ片面記録済みの２枚目のシート（２）がシート反転接続路ＳＨ５に移動した状態を示す図である。
【図７】図７は前記実施の形態２のシート搬送方法を示す図で、図７Ａは１枚目のシート（１）の先端が両面記録されて定着装置Ｆを通過して排出トレイＴＲｈ（図５参照）側に移動している状態を示し且つ片面記録済の２枚目のシート（２）がシート反転路ＳＨ４に搬送している状態を示す図、図７Ｂは片面記録済の２枚目のシート（２）がシート反転路ＳＨ４で反転され上流側シート搬送路ＳＨ２に再搬送している状態を示す図、図７Ｃは２枚目のシート（２）の先端が両面記録されて定着装置Ｆを通過して排出トレイＴＲｈ（図５参照）側に移動している状態を示し且つ給紙トレイＴＲ１から取出された３枚目のシート（３）の先端が上流側シート搬送路ＳＨ２に移動した状態を示す図である。
【符号の説明】
ＧＴ１…シート搬送方向制御部材、ＧＴ２…シート搬送方向制御部材、ＧＴ３…搬送方向切替部材、Ｑ４…画像記録位置、Ｒｂ…正逆回転搬送ロール、Ｓ…シート、ＳＨ１…給紙路、ＳＨ１ａ…個別給紙路、ＳＨ１ｂ…接続給紙路、ＳＨ２…上流側シート搬送路、ＳＨ３…下流側シート搬送路、ＳＨ４…シート反転路、ＳＨ５…シート反転用接続路、ＴＲｈ…排紙トレイ、ＴＲ１，ＴＲ２…給紙トレイ。
【図１】
2004284785.tif 000003
【図２】
2004284785.tif 000004
【図３】
2004284785.tif 000005
【図４】
2004284785.tif 000006
【図５】
2004284785.tif 000007
【図６】
2004284785.tif 000008
【図７】
2004284785.tif 000009